(57)【要約】      （修正有）【課題】側方から受ける衝撃を分散できるようにして緩衝機能を向上させる梱包用緩衝材を提供する。【解決手段】外箱内に収納させた被梱包物の少なくとも一つの側面部に沿って側方パッド21bを位置させ、側方パッド21bは、被梱包物の側面部側に位置する内側板211と、側面部が対向する外箱の側壁側に位置する外側板212と、これらの間に内折り曲げ線25a及び外折り曲げ線25bを介して連設される上板213とを備えた中空の略矩形筒体とし、内折り曲げ線25aと外折り曲げ線25bは上板213の長手方向に沿い、内折り曲げ線25aに向かって内切欠20aが、外折り曲げ線25bに向かって外切欠20bがそれぞれ開放すると共に、内切欠20aと外切欠20bとは長手方向に互い違いに形成されている。【選択図】図３
2016088540.tif 000002
【特許請求の範囲】
【請求項１】
外箱内に収納状態にある被梱包物の少なくとも一つの側面部に沿って位置させる側方パッドを有し、
前記側方パッドは、被梱包物の前記側面部に沿って位置する内側板と、前記側面部が対向する外箱の側壁に沿って位置する外側板と、これら内側板と外側板との間にそれぞれ内折り曲げ線及び外折り曲げ線を介して連設する上板とを備えた中空の略矩形筒体であって、
前記内折り曲げ線及び外折り曲げ線は、上板の長手方向に沿って設けられ、
前記上板には、内折り曲げ線に向かって内切欠が、前記外折り曲げ線に向かって外切欠がそれぞれ開放すると共に、前記内切欠と外切欠とは長手方向に互い違いに形成されている梱包用緩衝材。
【請求項２】
請求項１に記載の梱包用緩衝材において、前記内切欠及び外切欠の少なくとも一方は、前記内折り曲げ線及び外折り曲げ線の少なくとも一方を跨いで、前記内側板及び外側板の少なくとも一方に連続して開放している梱包用緩衝材。
【請求項３】
請求項１又は２に記載の梱包用緩衝材において、前記内切欠及び外切欠の少なくとも一方は円弧状コーナ部を有する梱包用緩衝材。
【請求項４】
請求項３に記載の梱包用緩衝材において、前記円弧状コーナ部は前記内切欠及び外切欠の両方に形成され、
前記内切欠及び外切欠は、前記上板の長手方向に対して直交する幅方向の両側に、各々の円弧状コーナ部が対応するように配置されている梱包用緩衝材。
【請求項５】
請求項４に記載の梱包用緩衝材において、前記内切欠及び外切欠は、前記上板の前記幅方向の一方側に開放する前記内切欠又は外切欠のどちらか一方の円弧状コーナ部に対応する他方側の範囲に、前記内切欠又は外切欠のどちらか他方の円弧状コーナ部とこの円弧状コーナ部と内折り曲げ線又は外折り曲げ線とで形成される角部が対応するように配置されている梱包用緩衝材。
【請求項６】
請求項１から５のいずれかに記載の梱包用緩衝材において、前記内切欠の方が前記外切欠よりも長く形成されている梱包用緩衝材。
【発明の詳細な説明】
【技術分野】
【０００１】
本発明は、被梱包物を梱包して運搬する際に、衝撃等から被梱包物を保護するために用いられる梱包用緩衝材に関する。
【背景技術】
【０００２】
製品等の被梱包物を外箱に箱詰めする際には、製品保護のために梱包用緩衝材が製品と共に収納される。
システムキッチンのカウンタートップに落とし込んで装着させる、所謂、ビルトインコンロを、上方開放の外箱内に梱包する梱包材として、例えば、特開２００５−３１３９７７号公報に開示のものがある。
このものは、段ボール紙を折り曲げて、左右対称な形状に組み立てられた一対のサイドパッド(4)(4)を、コンロ本体の左右両側面部に位置するように、外箱の両側壁に沿わせて収納するものであり、図６に示すように、コンロ本体の後方に位置させる後方パッド(41)と、コンロ本体の底部両端近傍域を載置させる底方パッド(42)と、コンロ本体の左右両側方に位置させる側方パッド(40)とを備えている。
サイドパッド(4)をコンロ本体の左右両側方に位置するように外箱内に収納すると、外箱への後方からの衝撃は後方パッド(41)が吸収し、下方からの衝撃は底方パッド(42)が吸収し、左右両側方からの衝撃は側方パッド(40)が吸収することとなり、コンロ本体は外的衝撃から保護された状態で梱包されることとなる。
なお、図６は、外箱の正面から見て左側に位置させるサイドパッド(4)を示している。
【０００３】
側方パッド(40)は外箱の前記側壁の横長さに略一致する長さの奥行きを有する前後に開放する中空の矩形筒体に構成されており、コンロ本体側に位置する内側板(402)と外箱側に位置する外側板(403)とこれらの上端辺相互及び下辺相互をそれぞれ連結し水平姿勢を維持する上板(401)及び下面(404)とからなり、下面(404)の内方へ延長させた部分には底方パッド(42)が載置される。
側方パッド(40)はその形状から、前後方向に一定の強度を有しており、前方からの衝撃に対して潰れ難い構成となっている。これにより、側方パッド(40)の前端をコンロ本体の前面よりも前方へ突出させておけば、外箱の前方からの衝撃は側方パッド(40)の前端が受けることとなり、コンロ本体の前面は保護されることとなる。また、側方パッド(40)は、側方から衝撃を受けると、外側板(403)が内方へ変形して側方パッド(40)の中空状態がやや潰れることで、衝撃を吸収してコンロ本体の側面を保護することができる。
【先行技術文献】
【特許文献】
【０００４】
【特許文献１】特開２００５−３１３９７７号公報
【発明の概要】
【発明が解決しようとする課題】
【０００５】
しかしながら、このものでは、側方パッド(40)の上板(401)は、側方からの衝撃に対して全体に一定の強度を有し、潰れ難い構成となっているため、水平姿勢にある上板(401)が側方から受けた衝撃はそのまま被梱包物に伝わってしまうことがある。
このため、被梱包物の側面部において、上板(401)が当接する部分の強度が比較的弱い場合、上板(401)によって前記側面部が凹んだり変形したりして、被梱包物を損傷させてしまう不都合がある。
【０００６】
本発明は、上記事情に鑑みてなされたものであり、外箱の少なくとも一つの側壁に沿って収納されて被梱包物の側方に設置させる梱包用緩衝材において、前記側壁に沿った長手方向の強度を維持したまま、前記側方から受ける衝撃に対して潰れ易くして、側方からの衝撃に対する緩衝機能を向上させることを目的とする。
【課題を解決するための手段】
【０００７】
上記目的を達成するために講じた本発明は、『外箱内に収納状態にある被梱包物の少なくとも一つの側面部に沿って位置させる側方パッドを有し、
前記側方パッドは、被梱包物の前記側面部に沿って位置する内側板と、前記側面部が対向する外箱の側壁に沿って位置する外側板と、これら内側板と外側板との間にそれぞれ内折り曲げ線及び外折り曲げ線を介して連設する上板とを備えた中空の略矩形筒体であって、
前記内折り曲げ線及び外折り曲げ線は、上板の長手方向に沿って設けられ、
前記上板には、内折り曲げ線に向かって内切欠が、前記外折り曲げ線に向かって外切欠がそれぞれ開放すると共に、前記内切欠と外切欠とは長手方向に互い違いに形成されている』ことである。
【０００８】
上記技術的手段は次のように作用する。
外箱の一つの側壁に沿って、外側板が位置するように、側方パッドを外箱内に収納し、側方パッドの内側板に、被梱包物の所定の側面部が沿うように、被梱包物を外箱に収納する。この収納状態にて、外箱の側壁と被梱包物の側面部との間には、上板が介在されると共に、外箱の側壁には外切欠が開放する外折り曲げ線が対応し、被梱包物の側面部に内切欠が開放する内折り曲げ線が対応する。これら内切欠及び外切欠は、例えば、内折り曲げ線上にて隣り合う２つの内切欠の間に、１つの外切欠が外折り曲げ線上に位置するように、上板の長手方向に互い違いに形成されている。
【０００９】
上板は、上記形状であるから、長手方向においては一定の強度が維持され、上板に、長手方向の端部を押圧する方向の衝撃が加えられても上板は長手方向には潰れ難い。これに対し、長手方向に対して直角方向からの衝撃には弱く、内切欠又は外切欠が形成されている部分は衝撃を受けて変形し易い構成となっている。
そこで、外箱の前記側壁のうち、前記上板が対応する箇所に、外側から衝撃が加えられると、前記衝撃は、側壁を介して側方パッドの上板に伝わるが、上板には、上記したように内切欠と外切欠を互い違いに開放させているから、衝撃は外折り曲げ線のうち外切欠の非形成域で受け、内折り曲げ線の内切欠の非形成域へ、分散しながら伝わることとなる。
また、内切欠又は外切欠が形成されている領域は、これらの非形成域よりも衝撃に対して変形し易く衝撃を十分吸収することができ、被梱包物に加えられる衝撃を和らげることができる。
なお、被梱包物の前記側面部にて、上板の内切欠が対応する部分には、衝撃が伝わることはない。
【００１０】
上記梱包用緩衝材において、『前記内切欠及び外切欠の少なくとも一方は、前記内折り曲げ線及び外折り曲げ線の少なくとも一方を跨いで、前記内側板及び外側板の少なくとも一方に連続して開放している』ものが望ましい。
このものでは、例えば、展開状態にある段ボール紙を折り曲げて側方パッドを組み立てる場合に、内切欠及び外切欠の少なくとも一方が、内折り曲げ線及び外折り曲げ線の少なくとも一方をそれぞれ含む態様で打ち抜かれているため、組み立てた状態にて、折り曲げることによって強度が高くなる上板と内切欠及び外切欠との境界部分に形成される稜線の少なくとも一方が部分的に切り欠かれた態様となる。このため、側方パッドの上端域は、側方からの衝撃によって潰れ易くなり、衝撃を十分吸収することができるから、被梱包物に伝わる衝撃を一層和らげることができる。
また、上記各切欠の形成態様によれば、内折り曲げ線や外折り曲げ線に沿って、段ボール紙を正確に折り曲げ易い。
【００１１】
上記梱包用緩衝材において、『前記内切欠及び外切欠の少なくとも一方は円弧状コーナ部を有する』ものが望ましい。
このものでは、内切欠及び外切欠の少なくとも一方は、円弧状コーナ部を有する形状とし、角張った部分を設けない形状としたから、外的衝撃を受けて変形することがあっても、角張った部分から上板が破れ易いといった不都合を防止することができる。
【００１２】
上記梱包用緩衝材において、『前記円弧状コーナ部は前記内切欠及び外切欠の両方に形成され、
前記内切欠及び外切欠は、前記上板の長手方向に対して直交する幅方向の両側に、各々の円弧状コーナ部が対応するように配置されている』ものが望ましい。
内切欠と外切欠とは、上板の長手方向に互い違いに形成されるものの、各々の円弧状コーナ部を上板の長手方向に対して直交する幅方向の両側に位置させることで、上板の前記両側に内切欠と外切欠が同時に開放する部分を存在させている。これにより、上板の一側方にのみ切欠が開放しているものに比べて、前記幅方向の強度は低くなり、前記外箱の側壁方向からの衝撃に対してより潰れ易くなる。よって、上板が受ける衝撃を十分に吸収して、被梱包物に伝える衝撃を一層和らげることができる。
【００１３】
上記梱包用緩衝材において、『前記内切欠及び外切欠は、前記上板の前記幅方向の一方側に開放する前記内切欠又は外切欠のどちらか一方の円弧状コーナ部に対応する他方側の範囲に、前記内切欠又は外切欠のどちらか他方の円弧状コーナ部とこの円弧状コーナ部と内折り曲げ線又は外折り曲げ線とで形成される角部が対応するように配置されている』ものが望ましい。
このものでは、上板の長手方向に沿った両側の一方に円弧状コーナ部を位置させ、これに対応する他方に、円弧状コーナ部と強度の高い稜線との間に形成される角部を位置させる構成としたから、前記幅方向にて外切欠と内切欠とが重なり合う部分に一定の強度を付与することができる。これにより、各切欠で側方からの衝撃を和らげながら、各切欠の衝撃に対する強度を確保することができる。
【００１４】
上記梱包用緩衝材において、『前記内切欠の方が前記外切欠よりも長く形成されている』ことが望ましい。被梱包物側に開放する内切欠の長さを長く設定することで、上板の被梱包物への当接箇所が減るから、被梱包物を損傷させてしまう不都合を一層防止することができる。
なお、内切欠及び外切欠の長さとは、個々の長さを示す場合も、内折り曲げ線上及び外折り曲げ線上に開放している総長さを示す場合も含むものとする。
【発明の効果】
【００１５】
本発明は、上記構成であるから次の特有の効果を有する。
側方パッドの上板は、外箱の側壁に沿った長手方向において一定の強度を保ち、長手方向の両端側から潰れ難い構成が維持されているから、側方パッドを被梱包物よりも前方へ突出する態様で外箱内に収納しておけば、外箱の前記側壁よりも前方からの衝撃は、上板の長手方向の端部が受けることとなり、被梱包物に衝撃が伝わるのを防止することができる。
また、側方から受けた衝撃は、上板の長手方向に互い違いに設けた内切欠及び外切欠から逃がすことができ、一部に集中させずに分散されて被梱包物へ伝わることとなる。同時に、上板自体も側方からの衝撃によって潰れ易く、衝撃を十分吸収することができる。これにより、側方パッドの上板が被梱包物に伝える衝撃は弱くなり、上板が対応する被梱包物の側面部の強度が弱い場合であっても、その部分が凹んだり変形したりして損傷する不都合を防止することができ、被梱包物を確実に保護することができる。
【００１６】
内切欠及び外切欠の形状や大きさや数、さらには、形成箇所によって、側方からの衝撃に対する上板の強度を調整することができるから、被梱包物の構造や材質等に応じて適正な強度を有する緩衝材を提供することが可能となる。
【図面の簡単な説明】
【００１７】
【図１】本発明の実施の形態の梱包用緩衝材を使用した梱包構造を示す分解斜視図である。
【図２】本発明の実施の形態の梱包用緩衝材に採用する下支持パッドの展開図である。
【図３】本発明の実施の形態の梱包用緩衝材に採用する下支持パッドの斜視図である。
【図４】本発明の実施の形態の梱包用緩衝材に採用する下支持パッドのうち、コンロ支持パッドの平面図である。
【図５】本発明の実施の形態の梱包用緩衝材を使用して外箱内にコンロを収納する状態を示す説明図である。
【図６】従来の梱包用緩衝材としてのサイドパッドの斜視図である。
【発明を実施するための形態】
【００１８】
以下に、本発明を実施するための最良の形態について添付図面を参照しながら説明する。
本発明の実施の形態は、コンロ本体(3)とコンロ天板(31)を有するビルトインコンロを梱包する梱包用緩衝材に実施したもので、図１はそれを利用した梱包の様子を示す分解斜視図である。
【００１９】
この実施の形態におけるコンロは、同図に示すように、中央にグリル部(35)が備えられ且つ３つのガスバーナが内蔵されたコンロ本体(3)の上端縁から、システムキッチンのカウンタートップに形成されている開口の周縁に支持させるための外周フランジ部(36)を外方へ向かって水平に張り出させた、所謂、ビルトインコンロであり、外周フランジ部(36)の上面に、コンロ天板(31)が載置されて使用される。
【００２０】
コンロ天板(31)は、外周フランジ部(36)に略一致する大きさ形状に構成されており、ガスバーナのバーナヘッド(3a)(3b)(3c)を露出させるための３つのバーナ用開口(30a)(30b)(30c)が形成されている。又、バーナ用開口(30a)(30b)(30c)の周囲には、それぞれ五徳(33a)(33b)(33c)を載置するためのリング(37a)(37b)(37c)が固定されており、その後方の排気用開口には排気ガード(34)がセットされる。
【００２１】
上記実施の形態に係るビルトインコンロを収納させる外箱(1)は、コンロ本体(3)及びコンロ天板(31)が各種緩衝材と同梱可能な大きさの段ボール紙製の上方に開放する矩形箱体であり、コンロ本体(3)の左右両側面部(32a)(32b)側に位置する左右両側壁(1a)(1b)と、グリル部(35)側に位置する前側壁(1c)と、後側壁(1d)を有する。これら左右両側壁(1a)(1b)及び前後両側壁(1c)(1d)の上端から、それぞれ、４枚の蓋片(11a)〜(11d)が連設されていると共に、下端からは、４枚の底板が連設されている。
段ボール紙を所定の展開図に沿って切り抜き、左右両側壁(1a)(1b)と前後両側壁(1c)(1d)との各境界線、及び底板の基端辺に沿って折り曲げて、重なり合う各所をテープで止着すれば、上端に蓋片(11a)〜(11d)が具備された上方開放の外箱(1)が完成する。
【００２２】
次に、外箱(1)の、左右両側壁(1a)(1b)に沿って収納させる梱包用緩衝材としての下支持パッド(2a)(2b)について説明する。
下支持パッド(2a)(2b)も段ボール紙を組み立てて構成されるもので、外箱(1)の左右両側壁(1a)(1b)に沿って位置させるために、それぞれ左右対称に構成される。図２は、下支持パッド(2a)(2b)のうち、外箱(1)の向かって左側壁(1a)側に位置させる下支持パッド(2a)の展開図であり、図３はそれを組み立てた状態を示す斜視図である。
【００２３】
段ボール紙を、図２の展開図の外周に沿って切り取ると共に、内部に設けられている実線に沿って打ち抜いて、切込みや切欠を形成する。そして、同図の点線に沿って折り曲げて組み立てることにより、図３に示すような、コンロ本体(3)の左側下端部を支持するコンロ支持パッド(21)と、その後端に連設されてコンロ本体(3)の後方に配設される後パッド(22)とから略Ｌ字状の平面形状を有する下支持パッド(2a)が完成する。
【００２４】
下支持パッド(2a)のコンロ支持パッド(21)は、外箱(1)の左側壁(1a)の奥行き方向に沿って長い、縦断面略Ｌ字状の中空矩形筒体であり、コンロ本体(3)の左側下端部が載置されてコンロ本体(3)を下方から支持する下方パッド(21a)と、その上面左側に連設されてコンロ本体(3)の左側下端部を側方から支持する側方パッド(21b)とから構成されている。
【００２５】
側方パッド(21b)は、組み立てた状態にて、コンロ本体(3)の一方の側面部(32a)の下端部に沿って位置する内側板(211)と、外箱(1)の左側壁(1a)に沿って位置する外側板(212)と、これらの上端辺に連設される上板(213)と、下方パッド(21a)の上面に載置される底板(214)とから、外箱(1)の前後方向に長い中空矩形筒状に形成されている。
なお、内側板(211)及び外側板(212)と、上板(213)とは、それぞれ内折り曲げ線(25a)及び外折り曲げ線(25b)を介して連続している。
【００２６】
そして、図２に示す展開図にて、内折り曲げ線(25a)上の所定位置には、２つの長円形の内切欠(20a)が打ち抜かれていると共に、外折り曲げ線(25b)上におけるこれら２つの内切欠(20a)の間には、内切欠(20a)より短い外切欠(20b)が１つ打ち抜かれている。
これにより、内折り曲げ線(25a)及び外折り曲げ線(25b)を折り曲げて矩形筒状に組み立てたとき、図３に示すように、上板(213)から内側板(211)にかけて２つの内切欠(20a)と、上板(213)から外側板(212)にかけて１つの外切欠(20b)とが、上板(213)の長手方向に互い違いに位置するように開放する構成となる。
なお、下支持パッド(2a)(2b)は上記したように、段ボール紙製であるが、内折り曲げ線(25a)及び外折り曲げ線(25b)上に、内切欠(20a)及び外切欠(20b)を形成していることにより、折り曲げ易い構成となっている。
【００２７】
この実施の形態のものでは、上板(213)における前後２つの内切欠(20a)(20a)と１つの外切欠(20b)とは、上板(213)の長手方向に互い違いに形成されているものの、図４に示すように、その一部分が上板(213)の幅方向の両側にて同時に開放するように設定されている。
具体的には、上板(213)の内折り曲げ線(25a)側にて後パッド(22)寄りに開放している内切欠(20a)の前端側の円弧状コーナ部(200a)の形成域に相当する範囲(H)に対応する外折り曲げ線(25b)側には、外切欠(20b)の後端側の円弧状コーナ部(200b)の一部とそれが外折り曲げ線(25b)と交差する部分に形成される後端側の角部(201b)とが対応するように形成されている。
同様に、外切欠(20b)の上記した円弧状コーナ部(200b)の形成域に対応する内折り曲げ線(25a)側には、前述の内切欠(20a)の円弧状コーナ部(200a)の一部とこれが内折り曲げ線(25a)と交差する部分に形成される前端側の角部(201a)とが位置する構成となっている。
【００２８】
なお、上板(213)の前方寄りの内切欠(20a)と前述の外切欠(20b)とは、内切欠(20a)の後端側の角部(202a)と、外切欠(20b)の前端側の角部(202b)とが、長手方向に対して直交する同一直交線(L)上の両側に位置するように設定されている。すなわち、外切欠(20b)の前端部と、前方寄りの内切欠(20a)とは、上板(213)の幅方向の両側にて同時に開放していない。
【００２９】
上述したように、上記実施の形態のものでは、上板(213)における後方寄りの内切欠(20a)と外切欠(20b)とは、上板(213)の幅方向の両側にて、一方の円弧状コーナ部(200a)又は(200b)に対して、他方の円弧状コーナ部(200b)又は(200a)の一部と角部(201b)又は(201a)が対応するように設定されているため、この部分における上板(213)の幅方向の強度は、両側に円弧状のコーナ部(200a)(200b)を全域的に対応させたものよりも高くなり、前方寄りの内切欠(20a)と外切欠(20b)のように、上板(213)の両側にて同時に開放させない構成のものよりも低いものとなる。
このように、上板(213)の幅方向の両側における、内切欠(20a)と外切欠(20b)の前後端部の重なり度合いに応じて、上板(213)の幅方向の強度を調整することができる。
【００３０】
上板(213)の長手方向の両側の内折り曲げ線(25a)及び外折り曲げ線(25b)上に内切欠(20a)と外切欠(20b)を形成することにより、上板(213)の幅方向の強度を低くし、側方からの衝撃により潰れ易い構成としたが、上板(213)の長手方向においては一定の強度が維持されたままとなっている。
そこで、図５に示すように、コンロ支持パッド(21)を、コンロ本体(3)のグリル部(35)が設けられている前面よりも前方へ突出させて外箱(1)内に収納しておけば、外箱(1)の前側壁(1c)の両側下端部への前方からの衝撃はその突出部分が受けることとなる。
なお、前方からの衝撃を吸収するために、上板(213)における前方寄りの内切欠(20a)よりもさらに前方域に、内折り曲げ線(25a)から外折り曲げ線(25b)に至る範囲全域に上切欠(10)を開放させている。
【００３１】
所定の形状に組み立てられた下支持パッド(2a)(2b)を、外箱(1)の左右両側壁(1a)(1b)に沿って収納した状態にて、例えば、外箱(1)の左側壁(1a)における上板(213)が対応する部分に、図４の矢印に示すように、左側方から衝撃が加えられた場合、その衝撃は、外箱(1)の左側壁(1a)を介して、上板(213)の外折り曲げ線(25b)側が受けることとなるが、この部分には外切欠(20b)が形成されているから、衝撃は外切欠(20b)の非形成域にて分散されて受けることとなり、これが、内折り曲げ線(25a)側の内切欠(20a)の非形成域にさらに分散されて伝わることとなる。
【００３２】
このように、外箱(1)が受ける衝撃を一部に集中応力がかからないように、分散させることができると共に、被梱包物としてのコンロ本体(3)側に位置する上板(213)の右側辺部のうち、内切欠(20a)の形成域は、コンロ本体(3)の側面部(32a)に直接当たらないから、上板(213)の右側辺部が対応する、コンロ本体(3)の側面部(32a)の一部分の強度が低くても、その部分が上板(213)によって凹んだり、変形したりする不都合はない。
なお、この実施の形態のものでは、内切欠(20a)の個々の長さを外切欠(20b)よりも長く形成しているが、内折り曲げ線(25a)側に開放する複数の内切欠(20a)の総長さが、外折り曲げ線(25b)側に開放する外切欠(20b)の総長さよりも長く設定されていても良い。
【００３３】
また、上板(213)の両側に、内切欠(20a)及び外切欠(20b)を設けることで、上板(213)を含む側方パッド(21b)の上部域が、長手方向に対して直交する方向に変形したり潰れたりし易くなっている。言い換えれば、側方からの衝撃を側方パッド(21b)の上部域で十分吸収することができるから、側方パッド(21b)が対応するコンロ本体(3)の側面部(32a)を外的衝撃から保護することができ、十分な緩衝機能を発揮させることができる。
【００３４】
また、上板(213)の内折り曲げ線(25a)及び外折り曲げ線(25b)上における内切欠(20a)と外切欠(20b)の重なり度合いに応じて、側方からの衝撃に対する上板(213)の強度を変えることができるので、外箱(1)内に収納させる被梱包物によって側方パッド(21b)の強度を調整することができる。
【００３５】
次に、下支持パッド(2a)(2b)を用いたドロップインコンロの外箱(1)への収納工程について説明する。
まず、一方の下支持パッド(2a)を外箱(1)の左側壁(1a)側に、他方の下支持パッド(2b)を外箱(1)の右側壁(1b)側に位置させ、各々のコンロ支持パッド(21)の側方パッド(21b)の外側板(212)が、左右両側壁(1a)(1b)に沿うように、外箱(1)内に設置する。
これにより、外箱(1)の左右両側壁(1a)(1b)側には、下支持パッド(2a)(2b)のコンロ支持パッド(21)が位置し、後側壁(1d)側には、後パッド(22)が位置する態様となる。
【００３６】
この下支持パッド(2a)(2b)の各コンロ支持パッド(21)の下方パッド(21a)の上面に、コンロ本体(3)の底部両側近傍を架設される状態に載置させる。すると、コンロ本体(3)の左右両側面部(32a)(32b)の下部域が、側方パッド(21b)の内側板(211)に沿って位置する態様となる。
なお、コンロ本体(3)よりもコンロ支持パッド(21)が前方に突出するように各部の寸法は設定されている。
【００３７】
このとき、図１に示すように、コンロ本体(3)と同時に、前パッド(23)が外箱(1)に収納される。
前パッド(23)は、コンロ本体(3)の前面のグリル部(35)の前に配設させるもので、グリル部(35)の扉の前面を保護する保護板(23a)と、その左右両側に位置して保護板(23a)と前側壁(1c)との距離を保つ縦パッド(23b)(23b)と、保護板(23a)の下端に位置して扉の取手を保護する横パッド(23c)とから構成されている。前パッド(23)を外箱(1)の前側壁(1c)とグリル部(35)の扉との間に収納したときに、縦パッド(23b)(23b)と横パッド(23c)と保護板(23a)と前側壁(1c)とで囲まれた範囲に、付属品等が収納されると共に、縦パッド(23b)(23b)の上方開放部内には乾電池が収納可能となっている。なお、縦パッド(23b)(23b)は横パッド(23c)よりも下方へ突出しており、全体の高さは外箱(1)の高さに略一致するように設定されている。
【００３８】
コンロ本体(3)を、一対の下支持パッド(2a)(2b)及び前パッド(23)と共に外箱(1)内に収納した状態にて、コンロ本体(3)の両側下端部は、下支持パッド(2a)(2b)のコンロ支持パッド(21)の下方パッド(21a)により下方から支持され、側方パッド(21b)により側方から支持され、前パッド(23)により前方から支持され、後パッド(22)により後方から支持される態様となり、これら各パッドが全て緩衝材として機能することから、コンロ本体(3)は前後左右から保護された態様となると共に外箱(1)内での移動が阻止される。
【００３９】
そして、コンロ本体(3)の外周フランジ部(36)の上面に、全体を保護シート(29)で被覆させたコンロ天板(31)を載置させる。
コンロ天板(31)の後部の排気孔には、収納袋に入れた状態の排気ガード(34)がコンロ天板(31)にテープで止められ、その上から、コンロ天板(31)の上面全体に保護シート(29)が被覆されると共に、保護シート(29)の上から、コンロ天板(31)のバーナ用開口(30a)(30b)(30c)の周縁のリング(37a)(37b)(37c)上に、五徳(33a)(33b)(33c)は設置される。そして、この上から、図５に示すように、五徳(33a)(33b)(33c)に直接接触するように上支持パッド(24)が載置される。
【００４０】
そして、上支持パッド(24)の上から、外箱(1)の左右両側壁(1a)(1b)に連設された蓋片(11a)(11b)を内方に折り曲げると共に、前後の蓋片(11c)(11d)を折り曲げて、外箱(1)の上方開放端を閉塞し、テープで止着すれば、梱包作業が完了する。
上支持パッド(24)は、各蓋片(11a)〜(11d)で上から押圧されることとなり、五徳(33a)(33b)(33c)を上下左右にずれることなくコンロ天板(31)上に押さえ付けて固定することができる。
【００４１】
なお、上記実施の形態では、下支持パッド(2a)(2b)として、コンロ支持パッド(21)と後パッド(22)とを組み合わせた構成としたが、側方パッド(21b)のみ独立させた緩衝材とすることも可能である。
また、内切欠(20a)及び外切欠(20b)は、上板(213)の長手方向に沿った両側方にのみ互い違いに開放するように設ける構成としても良い。
また、上記実施の形態では、被梱包物としてビルトインコンロを採用したため、側方パッド(21b)は、コンロ本体(3)の左右両側面部(32a)(32b)を緩衝するように、外箱(1)の左右両側壁(1a)(1b)に沿った配置態様としたが、緩衝の対象は器具の左右側面に限定されるものではない。例えば、被梱包物によっては、側方パッド(21b)を、外箱(1)の前後側壁(1c)(1d)に沿って配置しても良いし、さらには、外箱(1)の底板から上方開放端に至るように縦長に配置する構成としても良い。
【符号の説明】
【００４２】
(1) ・・・・・・・・・・・外箱
(1a)(1b)・・・・・・・・・側壁
(11a)(11b)・・・・・・・・蓋片
(2a)(2b)・・・・・・・・・下支持パッド
(20a) ・・・・・・・・・・内切欠
(20b) ・・・・・・・・・・外切欠
(21b) ・・・・・・・・・・側方パッド
(32a)(32b)・・・・・・・・側面部
(211) ・・・・・・・・・・内側板
(212) ・・・・・・・・・・外側板
(213) ・・・・・・・・・・上板
(25a) ・・・・・・・・・・内折り曲げ線
(25b) ・・・・・・・・・・外折り曲げ線
【図１】
2016088540.tif 000003
【図２】
2016088540.tif 000004
【図３】
2016088540.tif 000005
【図４】
2016088540.tif 000006
【図５】
2016088540.tif 000007
【図６】
2016088540.tif 000008